(57)【特許請求の範囲】
【請求項１】
ベルトコンベアによって搬送された、缶、瓶、ペットボトルからなる回収容器から、内容物が含まれていない缶とペットボトルとからなる空容器を風力により選別する風力選別機本体が、該ベルトコンベアにより構成される該回収容器の搬送路の途中に設けられた風力選別機であって、
前記風力選別機本体は、
前記ベルトコンベアに沿って立設された側壁と、
前記側壁の一部を切り欠いて、前記ベルトコンベアによる前記回収容器の搬送方向に対して直交する方向に延びるように設けられた通路側壁を有する通路と、
前記通路に前記空容器のみを吹き飛ばすブロワと、
前記搬送路の上流方向に向け送風する第１のノズルと、を有し、
前記第１のノズルによる送風により、前記ブロアによる前記空容器の吹き飛ばしの際に、前記ベルトコンベアと前記通路と交差することにより形成される角の近傍における前記回収容器およびまたは前記空容器の集積を抑制する風力選別機。
【請求項２】
前記ベルトコンベアの上流側の側壁と前記通路側壁とから構成される角を面取りするとともに、面取りによって形成された面取り壁に沿って送風する第２のノズルが、前記ベルトコンベアの上流から前記通路に向かう方向に送風されるように設けられた請求項１に記載の風力選別機。
【発明の詳細な説明】
【技術分野】
【０００１】
この発明は風力選別機、詳しくはベルトコンベアによって搬送された飲料容器などの回収容器から、内容物が残っていない空き缶や空きペットボトルとそれ以外とを風力により分離して選別する風力選別機に関する。
【背景技術】
【０００２】
飲料容器の空き缶（アルミ缶・スチール缶）、空瓶、廃ペットボトル等は、市町村等の各自治体による回収の他、コンビニエンスストアや自動販売機等からの事業系ルートを通じても回収される。これらは種類別に選別され、それぞれが再生処理された後、さまざまな形で再利用されている。
ところで、回収されたこれらの容器は、必ずしも空缶と廃ペットボトルとに分別されているとは限らず、両者が混在した状態で回収されてくる場合がほとんどである。このため、専用の選別機によってアルミ缶、スチール缶、廃プラスチック容器（例えばペットボトルなど）に選別されている。
しかしながら、近年、回収容器中に占める廃プラスチック容器の割合が多くなり、従来の選別機では廃プラスチック容器を選別しきれなくなっていた。よって、選別機に回収容器を送り込む供給コンベアの周囲に作業者を配置し、手選別にて廃プラスチック容器の全部又は大半を選別除去して前処理を行っているところもある。このため、選別にかかる作業負担の軽減が求められている。
【０００３】
その一方、特許文献１に記載された選別装置は、第１の光電センサで空き缶または廃ペットボトルを検知し、第２の光電センサで廃ペットボトルを検知してこの廃ペットボトルに対してパルスエアを噴射して吹き飛ばすことにより、これらを選別処理するものである。
【先行技術文献】
【特許文献】
【０００４】
【特許文献１】特開２００９−２６８９９６号公報
【発明の概要】
【発明が解決しようとする課題】
【０００５】
しかしながら、特許文献１に記載の選別装置では、例えば空缶や廃プラスチック容器の内部に飲料が残存していた場合であっても、廃プラスチック容器と認識し、吹き飛ばすため、空のプラスチック容器と飲料等が存在するプラスチック容器とを手選別する必要があり、結局、選別にかかる作業負担の軽減につながらない。
【０００６】
そこで、発明者は鋭意研究の結果、ブロアからの風力によって、コンベヤベルト上から空容器を吹き飛ばす風力選別機におけるこの空容器の挙動に着目した。そして、内容物が含まれていない空容器が、風力選別機より下流側に搬送されないよう構成することにより、回収容器から空容器のみを選別することができることを知見し、この発明を完成させた。
【０００７】
この発明は、缶、瓶、プラスチック容器からなる回収容器から、内容物が含まれていない缶やプラスチック容器（空容器）を風力により分離して選別する風力選別機を提供することを目的としている。
【課題を解決するための手段】
【０００８】
請求項１に記載の発明は、搬送路を構成するベルトコンベアに搭載された、缶、瓶、ペットボトルを含む回収容器から、内容物が含まれていない缶やペットボトルからなる空容器を風力により選別する風力選別機であって、この搬送路の途中に風力選別機本体が設けられ、この風力選別機本体は、前記ベルトコンベアに沿って立設された側壁と、前記ベルトコンベアによる搬送方向に対して略直角に交差する方向に延びてこの側壁の一部を切り欠いてこの搬送路に連通するよう設けられた通路と、この通路に設けられた通路側壁と、この通路に向かって前記空容器のみを吹き飛ばすブロワと、この搬送路においてこの通路が開口する位置で搬送路の上流に向け送風する第１のノズルと、を有し、この第１のノズルによる送風により、前記ブロアによる前記空容器の吹き飛ばしの際に、前記搬送路の側壁と前記通路の通路側壁とが交差する角の近傍における前記回収容器およびまたは前記空容器の集積を抑制する風力選別機である。
【０００９】
ここでいう回収容器とは、主として缶、瓶、プラスチック容器を含むものであり、それらの比率等は回収ごとに異なる。プラスチック容器は、例えばペットボトルなどのように材質がプラスチックである容器であり、その材質は、ポリエチレン、ポリプロピレンのような汎用樹脂や、ポリエチレンテレフタレートのような機能性樹脂などである。空容器とは、内容物が含まれていない缶と中身が残っていないプラスチック容器（ペットボトル）である。このため、ブロアや第１のノズルからの送風により吹き飛ばされない重量物である瓶、内容物が含まれている缶、中身が残っているプラスチック容器は、ベルトコンベアによってそのまま下流側に搬送される。
缶は、スチール缶（ブリキ缶を含む）およびまたはアルミ缶である。
【００１０】
ベルトコンベアは、輪状にした幅広のベルトを台車の上で回転させ、その上に回収容器を載せて搬送する装置である。ベルトコンベアの搬送路の両側には、ベルトコンベアを取り囲むように一対の側壁が立設されている。また、天井壁でベルトコンベアを覆うこともできる。ベルトコンベアの近傍に設けられた側壁はその種類を特に問わない。例えば、板材に限られずフェンス金網のような網状のものであってもよい。
ベルトコンベアの搬送路の途中には、回収容器から空容器を選別するために、風力選別機本体が設けられる。
【００１１】
風力選別機本体は、ベルトコンベア上の回収容器に送風することによって空容器のみを回収容器から分離（選別）するものである。すなわち、搬送路を構成する側壁の一部を切り欠いて開口し、この開口部分で、搬送路に対して直交する通路と連通させる。したがって、搬送路のこの部分（位置）にブロワ、第１のノズルが配設され、風力選別機本体は、搬送路と直交する通路と、ベルトコンベア（搬送路）の側壁と、この側壁と交差して角を形成する通路側壁と、交差位置にて通路に向かってエアを吹き出すブロワと、交差位置にて搬送路上流に向かってエアを吹き出す第１のノズルとを含んで構成されることになる。
風力選別機本体として設けられた側壁は、その入口から出口まで、ベルトコンベアに沿って延びるように立設している。
ブロワは、羽根車の回転運動によってベルトコンベアの搬送方向に対して直交する方向（ほぼ直交する方向を含む）にかつ水平方向に送風する装置であり、いわゆる送風機である。ブロワの送風出力については特に問わないが、ベルトコンベアに搬送されている空容器を吹き上げて、通路、さらには通路の奥の別の搬送装置まで吹き飛ばすことができるだけの出力を最低限有している。
【００１２】
ブロワからの圧縮空気の吹き出しによって吹き飛ばされた空容器は、通路を通って、別の搬送装置に移動する。この通路は、直線上に延び、かつ側壁面と底面、上面（天井面）を有する、断面矩形に形成してある。強い空気の流れを形成するためである。
【００１３】
第１のノズルは、ベルトコンベアの下流から上流に向かう方向に送風するものである（逆噴射ノズル）。第１のノズルは、風力選別機本体の出口近傍でかつベルトコンベアの上方の所定高さ位置に設けられている。第１のノズルにより送風されるガス（エア）は、風力選別機本体の出口の中央より若干下方に向かって送風されるように、この第１のノズルが取り付けられていることが好ましい。この場合、ブロアによる空容器の吹き飛ばしの際に、ベルトコンベアと通路とが交差することにより形成される角の近傍における回収容器・空容器の堆積を効率よく防止することができる。例えば第１のノズルからのエアはベルトコンベヤに横たわるペットボトル（５００ｍｌボトル）の重心位置またはやや下方位置に向かって吹き出される。これにより、当該ペットボトルが空であれば舞い上がるように動きブロワからのエアで効率良く横方向に吹き飛ばすことができる。第１のノズルからのエアは、前記ブロワからの水平方向噴射流れをやや上流側に湾曲させる効果を発揮する。すなわち、第１ノズルからのエア噴射により上記滞積をなくすものである。
【００１４】
請求項１に記載の発明によれば、ベルトコンベアにて搬送された回収容器は、風力選別機本体内において、ブロアからの送風により空容器を吹き上げ、吹き飛ばして移動させる。その際に、ベルトコンベアと通路と交差することにより形成される角の近傍における回収容器およびまたは空容器の滞積、滞留を、第１のノズルによる送風により防止する。これにより、回収容器から空容器のみを選別することができ、手選別による負担を低減させることができる。その結果、回収容器の分別に要する経費を低減することができる。
【００１５】
請求項２に記載の発明は、前記ベルトコンベアに沿って立設された側壁と前記通路側壁とから構成される角を面取りするとともに、面取りによって形成された面取り壁に沿って送風する第２のノズルが、前記ベルトコンベアの上流から前記通路に向かう方向に送風されるように設けられた請求項１に記載の風力選別機である。
【００１６】
ベルトコンベアに沿って立設された側壁のうち、上流側の側壁（以下、単に「上流側側壁」という。）と、通路側壁とにより形成される角を面取りし、面取り部分に面取り壁が立設されることによって側面を形成する。そして、この面取り壁に沿って第２のノズルによる送風がなされる。
第２のノズルは、ベルトコンベアの上流から通路に向かう方向に（平面視すると、搬送方向に対して斜め約４５°の角度をなして）送風する（傾斜ノズル）。第２のノズルは、風力選別機本体の入口（上流側の部分）の近傍でかつベルトコンベアの上方の所定高さ位置に設けられている。第２のノズルの吹き出し角度はやや下方に向かいかつ通路奥に向かって圧縮空気を噴射するように設定されている。したがって、噴射を受けて踊りあがるような挙動をとる空容器はブロワによる横方向噴射により、確実にかつスピィーディに排出されることとなる。
【００１７】
上流側側壁と通路側壁とにより形成される角（コーナー）存在している場合、ブロアからの送風と、第１のノズルによる逆向き送風とにより、回収容器およびまたは空容器がその角の近傍に集積（滞積）しやすくなる場合がある。この結果、ブロアからの送風のみでは、集積された空容器が邪魔をして、搬送されてきた空容器を通路奥に向かって、すなわち別の搬送装置にまで吹き飛ばすことが困難になることもある。
しかしながら、請求項２に記載の発明によれば、上流側側壁と通路側壁とにより形成される角が存在しないだけでなく、第２のノズルにより面取り壁に沿って送風されることによって、回収容器およびまたは空容器が中身が入った容器とは異なり浮かび上がり、通路に向かって、確実に（集積（滞積）することなく）吹き飛ばすことができる。
【発明の効果】
【００１８】
請求項１に記載の発明によれば、ベルトコンベアにて搬送された回収容器は、風力選別機本体内において、ブロアからの送風（搬送方向に対して横方向からの送風）により空容器を吹き上げ、吹き飛ばして横方向に移動させる。ブロワから、搬送方向とは直交する方向へ常時送風（空気噴射）することにより、いわば圧縮空気の横方向への流れを形成するものである。その際に、ベルトコンベアと通路とが交差（ほぼ直交）することにより形成される角の近傍における回収容器およびまたは空容器の集積（滞積）を、第１のノズルによる逆向きの送風により防止する。すなわち、上記横向きの圧縮空気の流れをこの逆向き送風により一部について湾曲迂回させることとする。併せて、逆向き噴射により空容器に踊り上がるような挙動をとらせることにより、回収容器から空容器のみをスムーズに選別することができる。つまり、手選別による負担をなくす（低減する）ことができる結果、回収容器の分別にかかる経費を大幅に低減することができる。
【００１９】
ところで、上流側側壁と通路の側壁とにより形成される角（直角のコーナー）が存在している場合、ブロアからの送風と、第１のノズルによる送風とにより、回収容器およびまたは空容器がその角の近傍に集積（滞積）しやすくなる。これにより、ブロアからの送風のみでは、吹き飛ばすことが困難になることもある。
しかしながら、請求項２に記載の発明によれば、上流側側壁と通路の側壁とにより形成される角が存在しないだけでなく、第１のノズルにより面取り壁に沿って送風されることによって、回収容器およびまたは空容器が通路に向かって案内されて、同所に集積（滞積）することなく、通路に向かって所定速度で吹き飛ばすことができる。
【図面の簡単な説明】
【００２０】
【図１】この発明の一実施例に係る風力選別機を示すその概略平面図である。
【図２】この発明の一実施例に係る風力選別機の第２のノズルを示すその正面図である。
【図３】この発明の一実施例に係る風力選別機の風力選別機本体を示すその平面図である。
【図４】この発明の一実施例に係る風力選別機の風力選別機本体を示すもので図３のＡ矢視図である。
【図５】この発明の一実施例に係る風力選別機の風力選別機本体を示すもので図３のＢ矢視図である。
【発明を実施するための形態】
【００２１】
以下、この発明の一実施例を具体的に説明する。
この実施例は、図１に示すように、回収容器から、スチール缶、ビン、アルミ缶、ペットボトルを選別する選別システムに関するものである。ビニル袋に投入された回収容器は、破袋機にてビニル袋が破袋されることにより、ビニル袋から取り出され、ベルトコンベア上に山積み搭載されて下流に向かって搬送される。１１は、取り出された回収容器がランダムに搭載されて下流に向かって搬送されるベルコンベヤを示す。ベルトコンベア１１は、作業スペースでは１本の直線上に床面に配置されている。ベルトコンベア１１の容器搭載面はほぼ水平にセットされている。ベルトコンベア１１は、その延在方向にて両端のローラに環状のベルトを掛け回して構成されており、そのベルト上面が回収容器（多数の缶やボトル）の載置面となる。
ベルトコンベヤ１１の最上流位置には、上記破袋機から材料すなわち回収容器が搬送される搬送コンベヤ１２が配置されており、搬送コンベヤ１２からベルトコンベヤ１１に回収容器は移載されることとなる。ベルトコンベア１１の搭載面にはほぼ一定の高さに回収容器が搭載されることとなる。
ベルトコンベヤ１１の中流位置には、公知の磁力選別機（磁選機）１３が配設されている。ベルトコンベヤ１１にて搬送されてきた回収容器は、まず、この磁力選別機１３にて回収容器からスチール缶のみが選別されて除去される。この除去されたスチール缶は、スチールプレス機１４にてプレスされることとなる。したがって、スチール缶以外のペットボトル、アルミ缶、ガラス製のビンなど磁力に反応しない回収容器はこの磁選機１３部分をスルー（通過）する。
そして、磁力選別機１３を通過した回収容器は、本願発明の一実施例に係る風力選別機１５を通過することとなる。すなわち、風力選別機１５はベルトコンベヤ１１（搬送路）において磁選機１３の下流に位置している。風力選別機１５では、その本体１６に近接して設けられたエアコンプレッサ１７によって生成された高圧のエアをブロワ２６から噴出させることにより、本体１６の位置でベルトコンベア１１上の空のアルミ缶、空のペットボトルが空容器としてメッシュコンベア１９まで吹き飛ばされる。なお、ベルトコンベア１１が稼動運転されている状態ではブロワ２６からは常時エアが噴出される構成であるが、本体１６の上流側にセンサを配置してセンサが回収容器の不搭載を所定時間検知したときは、ブロワ２６の稼動を停止する構成とすることもできる。
また、その重量により吹き飛ばされなかったビン、内容物の含まれた（中身が入った）回収容器は、この風力選別機１５を通過し、ベルトコンベア１１にてさらに下流に向けて搬送される。
この下流端では、例えば手選別でガラス製のビンとビン以外のものとが選別されて個別に回収されることとなる。
メッシュコンベア１９はベルトコンベア１１とほぼ平行に配置されており、通路２８を吹き飛ばされてきて移載された空容器（空のアルミ缶、空のペットボトル）は、このメッシュコンベア１９によって、アルミ選別機２０にまで搬送される。すなわち、ベルトコンベア１１とメッシュコンベア１９は同時に運転される構成である。
このアルミ選別機（アルミセパレータ）２０では、空容器のうちのアルミ缶のみが分離・選別され、アルミプレス機２１によってプレスされることとなる。なお、２２はメッシュコンベア１９から空容器が移載される第１のサブコンベアであり、空容器をアルミセパレータ２０を介して第２のサブコンベア２３まで搬送する。
これらの選別機を経て搬送された結果、第２のサブコンベア２３上に搭載された回収容器は、アルミ缶が取り除かれた回収容器である空のペットボトル（プラスチックボトル）のみで構成されることとなる。第２のサブコンベア２３は、ペットプレス機２４まで空のペットボトルのみを搬送し、ここでペットボトルはプレスされる。プレス後のペットボトルは資源として有効に利用されることとなる。
【００２２】
ベルトコンベア１１は、輪状にした幅広のベルトを台車の上で回転させ、その上に回収容器を載せて搬送する公知の装置である。ベルトコンベア１１のベルト幅は例えば約１００ｃｍ、長さは１０ｍ程度である。このベルトコンベア１１の両側には、ベルトコンベア１１を取り囲むように一対のフェンス２５（側壁）が対向して立設されている。このベルトコンベア１１の延長方向の中間部より下流側（ベルトコンベア１１によって搬送される回収容器の搬送路での中間部分より下流側）に、上述のように、風力選別機１５が設けられている。
【００２３】
風力選別機１５は、図１に示すように、ベルトコンベア１１による搬送路の途中に（一部に）設けられている。この風力選別機１５は、コンプレッサ１７の他に風力選別機本体１６を有している。この風力選別機本体１６は、ベルトコンベア１１に沿ってその両側に所定高さで立設された一対の側壁２５，２５と、ベルトコンベア１１による回収容器の搬送方向に対して直交する方向に空容器のみを吹き飛ばしてメッシュコンベア１９に移動させるブロワ２６と、ブロワ２６によって吹き飛ばされた空容器がメッシュコンベア１９まで移動する、通路側壁２７を有する通路２８と、ベルトコンベア１１の下流側から上流に向けて圧縮空気を噴射する第１のノズル３０と、ベルトコンベア１１の上流から通路に向かう方向に向け圧縮空気を噴射する第２のノズル３１とを備えている。
【００２４】
風力選別機本体１６の内部では、上述のようにベルトコンベア１１（コンベヤベルトそのもの）を挟み込むように立設された金属板で形成された側壁２５，２５を備えている。
そして、この側壁２５（上流に向かって左側の側壁）の一部が切り欠かれて開口を形成し、この開口を介してメッシュコンベア１９に通ずる通路２８が、ベルトコンベア１１による回収容器の搬送方向と直交する方向に延びて設けられている。さらに、通路２８と交わる側壁２５とは異なる側壁２５（上流に向かって右側側壁）のうち、通路２８の延長線上に位置してブロワ２６を構成する３本のノズルが設けられている。この３本のノズルは、上ノズル、中ノズル、下ノズルのように縦方向に等間隔に離間して設けられ、ブロア２６（３本のノズル）からの送風がコンベヤベルト１１上に搭載されている回収容器の全体に当たるよう構成してあり、重量の軽い空容器は通路２８に向かって吹き飛ばされることとなる。通路２８は搬送路とメッシュコンベヤ１９とを直線的に連通している。
【００２５】
ブロワ２６は、羽根車の回転運動によってベルトコンベア１１の搬送方向に対して直交する方向に送風する装置である。このブロワ２６の出力は、例えば０．７５ｋＷ程度であり、風量は例えば２９ｍ３／ｍｉｎ程度である。このブロワ２６によって噴射されて形成された圧縮空気の壁状の流れにより、ベルトコンベア１１上にて搬送されている空容器を吹き上げて、メッシュコンベア１９まで吹き飛ばすことができるよう構成してある。
【００２６】
ブロワ２６によって吹き飛ばされた空容器は、通路２８を通って、メッシュコンベア１９に移動する。この通路２８は側壁２７や天井壁、底壁を有する断面矩形、すなわち矩形枠状の板材で形成してある。通路２８内に強い流れを形成するためである。なお、通路断面積はその全長にわたって同一であるが、入り口側を細く（狭く）、出口側をやや広くしてもよい。空気圧を高めて通路２８に空容器を吹き飛ばすと、空気流れの圧力が少し弱くなる出口側にあっても空容器が引っかかり滞積（滞留）するおそれをなくすためである。また、通路２８は出口側を入り口側より低く形成して空容器の排出を容易としてもよい。
風力選別機本体１６内におけるベルトコンベア１１に沿って立設された側壁２５のうち、上流側の側壁（側壁の一部が切り欠かれてこの切り欠きより上流側）２５と、通路２８の側壁（通路側壁）２７とにより形成される角部は平面視して斜めに面取りされている。そして、この面取り部分の縁には面取り壁４１が立設されている。
通路２８の構成壁２７および面取り壁４１はいずれも平滑な金属板(垂直壁)で形成されている。
【００２７】
ここで、第１のノズル３０は、回収容器の搬送路の下流から上流に向かう方向に送風するものである。第１のノズル３０は、風力選別機本体の出口近傍でかつベルトコンベア１１の上方の所定高さ位置に横断ブラケット４２により架設されている。１本の第１のノズル３０（逆噴射ノズル）により送風される圧縮空気は、風力選別機本体１６の出口の中央にて若干下方に向けて送風されるようにこの第１のノズル３０は取り付けられている。これは、ブロワ３０（３本ノズル）からの横方向の圧縮空気の流れに対して搬送方向とは逆向きの流れ（横流れに対して直交流れ）を衝突させて、横流れに対してやや上流向きの湾曲流れ部分を形成する意味もある。また、逆噴射により空容器を浮き上がるような挙動とすることができる。
なお、第１のノズル３０から圧縮空気が噴射するように、ホースなどの配管を介して第１のノズル３０とエアコンプレッサ１７とが連通・連結されている（図示せず）。
そして、第２のノズル３１は、回収容器の搬送路の上流側から通路２８に向かう方向に斜め下向きに圧縮空気を送風するものである。また、第２のノズル３１からの送風は、面取り壁４１に沿ってなされる。第２のノズル３１（斜め噴射ノズル）は、風力選別機本体１６の入口近傍でかつベルトコンベア１１の上方所定高さ位置に設けられている（図３、図５参照）。
第２のノズル３１から圧縮空気が噴射するように、フレキシブルな配管などを介して第２のノズル３１とエアコンプレッサ１７とが連通・連結されている（図示せず）。
第１のノズル３０から噴射する圧縮空気と、第２のノズル３１から噴射する圧縮空気は、また、ブロワ１７への圧縮空気は、同一のエアコンプレッサ１７から供給される。第１のノズル３０の放出流量と第２のノズル３１の放出流量とは同じである。ブロワ１７は３本のノズルからこれらノズル３０，３１に対しては圧縮空気を３倍量で噴出することとなる。
【００２８】
次に、この風力選別機を利用して、回収容器から空容器を選別する風力選別方法を説明する。
運転開始により稼動するベルトコンベア１１にて搬送された回収容器は、風力選別機本体１６内において、ブロア２６からの横方向への常時送風により空容器が吹き上げられ、メッシュコンベア１９に向かって吹き飛ばされて移動させられる。もし空容器が吹き上げられなかった場合であっても、第１のノズル３０による送風により、空容器は風力選別機本体１６内に戻される。また、ベルトコンベア１１と通路２８とが交差することにより形成される角部（下流側コーナー）の近傍における回収容器およびまたは空容器の集積（滞積）を、第１のノズル３０による送風により分散させることができる。
同時に第２のノズル３１により面取り壁４１に沿って送風されることによって、回収容器およびまたは空容器が集積（滞積）することなく、通路２８を通ってメッシュコンベア１９に吹き飛ばされる。なお、これらのブロワ２６および第１、第２のノズル３０，３１は、ベルトコンベア１１が走行中（運転中）はＯＮとされ、常時圧縮空気を噴射しているものである。
これにより、回収容器から空容器のみを選別することができ、手選別による負担を低減させることができる。その結果、回収容器の分別にかかる経費を低減することができる。
【００２９】
さらに、上流側側壁２５と通路側壁２７とにより形成される角がもし存在している場合、ブロア２６からの送風と、第１のノズル３０による送風とにより、回収容器およびまたは空容器がその角の近傍に集積（滞積）することがある。これにより、ブロア２６からの横方向の送風のみでは、メッシュコンベア１９に吹き飛ばすことが困難になることもある。
しかしながら、この実施例では、上流側側壁２５と通路側壁２７とにより形成される角が存在しない（面取り）だけでなく、第２のノズル３１により面取り壁４１に沿って送風されることによって、回収容器およびまたは空容器が集積（滞積）することなく、空容器は必ずメッシュコンベア１９に吹き飛ばすことができる。
【産業上の利用可能性】
【００３０】
この発明は、風力選別機、詳しくはベルトコンベアによって搬送された回収容器から、内容物が含まれていない缶及びペットボトルとそれ以外とに風力により選別する技術として有用である。
【符号の説明】
【００３１】
１１  ベルトコンベア、
１５  風力選別機、
１６  風力選別機本体、
２５  側壁、
２６  ブロワ、
２７  通路側壁、
２８  通路、
３０  第１のノズル、
３１  第２のノズル。
【要約】
【課題】搬送中の空き缶、空きペットボトルに空気を噴射して分離する風力選別機において、吹き飛ばし通路との交差部での容器の滞留を排除する。
【解決手段】ベルトコンベアの中流位置にコンベア搬送路と直交させて空容器排出路を設け、コンベア上の回収容器に向かってブロワから空気を噴射して空容器のみをコンベアベルト上から排出路に排出する。搬送路と排出路との交差部にて、搬送方向とは逆方向にノズルから空気を噴射し、交差部コーナでの容器の滞積を完全に排除する。交差部の上流側コーナは斜め面取りし斜め方向に別ノズルから空気噴射して空容器の排出を促進する。
【選択図】図３【図１】
0005848485.tif 000002
【図２】
0005848485.tif 000003
【図３】
0005848485.tif 000004
【図４】
0005848485.tif 000005
【図５】
0005848485.tif 000006